(57)【特許請求の範囲】
【請求項１】
シャッタ地板に回転可能に取り付けられており被抑止部を有すると共に先羽根と連結している先羽根用第１駆動部材と、シャッタ地板に回転可能に取り付けられており露光作動時には先羽根用駆動ばねの付勢力によって先羽根用第１駆動部材を伴って作動し先羽根に露光作動を行わせる先羽根用第２駆動部材と、少なくとも先羽根用第２駆動部材のセット作動時には先羽根を露光作動開始位置へ作動させるための付勢力を有しているセットばねと、シャッタ地板に回転可能に取り付けられており後羽根と連結していて露光作動時には後羽根用駆動ばねの付勢力によって作動し後羽根に露光作動を行わせる後羽根用駆動部材と、シャッタ地板に回転可能に取り付けられていて可撓性を有する係合部を備えておりセット作動時には初期位置から作動して先羽根用第２駆動部材と後羽根用駆動部材とを各々の前記駆動ばねの付勢力に抗して作動させカメラのレリーズ時には露光作動に先立って初期位置へ復帰作動するセット部材と、シャッタ地板に回転可能に取り付けられていて抑止部と第１被係合部と第２被係合部とを有しておりセット部材のセット作動時にはその初期段階においてだけ第１被係合部と前記係合部とが一時的に係合して該抑止部が前記被抑止部を抑止し得る位置に作動されセット部材の復帰作動時にはその初期段階においてだけ第２被係合部と前記係合部とが一時的に係合して前記抑止部が非抑止位置に復帰させられる抑止部材と、を備えていることを特徴とするデジタルスチルカメラ用フォーカルプレンシャッタ。
【請求項２】
前記セット部材と前記抑止部材とが、同一軸に回転可能に取り付けられていることを特徴とする請求項１に記載のデジタルスチルカメラ用フォーカルプレンシャッタ。
【発明の詳細な説明】
【０００１】
【発明の属する技術分野】
本発明は、撮影に際して、先羽根と後羽根とを同一方向へ順次作動させ、その両者間に形成されたスリットにより、露光を行なうようにしたデジタルスチルカメラ用のフォーカルプレンシャッタに関する。
【０００２】
【従来の技術】
デジタルスチルカメラ用のフォーカルプレンシャッタの中には、銀塩カメラ用のフォーカルプレンシャッタと同様に、先羽根と後羽根という二つのシャッタ羽根を備えたものがあるが、その典型的な構成は次のようになっている。先ず、各シャッタ羽根は、シャッタ地板に枢着された二つのアームに対し、１枚以上の羽根を枢支しており、二つのアームの枢着点と各羽根の枢支点との四つの点を結ぶ線分が、作動中においても常に略平行四辺形を保つように構成されている。また、それらのシャッタ羽根は、カメラのレリーズ後、先羽根用電磁石と後羽根用電磁石に対する通電が順に断たれたとき、先羽根用駆動ばねと後羽根用駆動ばねの付勢力によって回転される先羽根用駆動部材と後羽根用駆動部材によって、順に露光作動を開始させられるようになっている。
【０００３】
そして、露光作動終了後は、セット部材が初期位置から作動して、上記の各駆動部材を各駆動ばねの付勢力に抗してセット位置へ作動させるようになっているが、そのセット部材は、次の撮影時にカメラのレリーズボタンが押されるまで、初期位置へは復帰せずセット位置に留まっている。何故ならば、セット作動後、直ちに初期位置へ復帰させると、各駆動部材も各駆動ばねの付勢力によって追従し、露光作動終了状態へ戻ってしまうからである。そこで、セット部材は、次の撮影時にカメラのレリーズボタンが押されたとき、上記の各電磁石に通電され、その吸引力によって各駆動部材が確実に保持された段階で、初期位置へ復帰させられるようにしている。従って、このような構成のフォーカルプレンシャッタを備えたデジタルスチルカメラの場合は、ＣＣＤなどの撮像素子が露光されるのは、シャッタ羽根が露光作動を行うときだけであるから、撮影前の被写体像を観察するファインダとしては、これまでの銀塩カメラの場合と同様に、光学式のファインダを採用せざるを得ない。
【０００４】
しかし、デジタルスチルカメラの場合は、撮像面に結像した被写体光を、ＣＣＤなどの撮像素子によって光電変換するものであるから、撮影前において結像した被写体像を液晶表示装置などに表示させることができれば、ファインダとして機能させることが可能である。そこで、現に、レンズシャッタ付きデジタルスチルカメラの場合には、そのような機能の表示装置を電子式ファインダなどと称して、これまでにも多く採用している。そのため、フォーカルプレンシャッタの場合にも、上記のようなこれまでの構成の一部を工夫することによって、電子式ファインダを採用できるようにすることが要求されているが、その要求に応えることの可能な一つの従来例が、特開２００１−２２２０５９号公報に記載されている。
【０００５】
そして、この従来例は、上記の先羽根用駆動部材を、先羽根のアームに連結されている第１駆動部材と、先羽根用駆動ばねによって付勢されている第２駆動部材とに分割した構成をしており、第１駆動部材は、その上、先羽根用駆動ばねよりも弱いセットばねによって、先羽根を露光作動開始位置へ作動させるように付勢されている。また、セット部材は、第２駆動部材を先羽根用駆動ばねの付勢力に抗してセット位置へ作動させるとき、その初期段階において、第１駆動部材がセットばねの付勢力によって追従するのを抑止するように構成されている。そのため、セット部材のセット作動時には後羽根だけが作動させられて、セット状態においては撮像素子の前面が開放されるので、電子式ファインダの機能を果たせるようになっている。そして、次の撮影に際してレリーズボタンが押され、セット部材が初期位置へ復帰するとき、その最終段階で上記の抑止を解くので、第１駆動部材はセットばねの付勢力によって先羽根を露光作動開始位置へ作動させ、その後に、先羽根と後羽根による露光作動が行われるようになっている。
【０００６】
【発明が解決しようとする課題】
ところで、上記したこれまでの典型的な構成のフォーカルプレンシャッタは、カメラのレリーズボタンを押しても、先羽根と後羽根による露光作動が直ちに開始されるのではなく、上記の各駆動部材が夫々の電磁石によって確実に保持され、その後、セット部材が初期位置へ復帰してから開始されるようになっている。即ち、カメラのレリーズボタンが押されてから実際に露光作動が開始されるまでに、所定のタイムラグがあるということである。そして、このようなタイムラグは、シャッタの構成からだけではなく、他のカメラ構成からも必要とせざるを得ないものであるが、このタイムラグが余り長いと、変化する被写体像の場合に、撮影者の意図する画像が得られなくなることがあるため、シャッタ機構単体としても、出来るだけ短くて済む構成にすることが要求されている。
【０００７】
そこで、そのような観点から、上記の公報に記載のフォーカルプレンシャッタを見てみると、セット部材がセット作動の初期段階から第１駆動部材を抑止し続ける構成をしているため、その抑止の解除は、カメラのレリーズ後にセット部材が初期位置へ復帰する最終段階で行われるようになっている。そして、その後、第１駆動部材は、セットばねの付勢力によって、先羽根を伴って作動され、第２駆動部材に当接して露光作動開始位置に停止するが、実際には、その当接時の衝撃によって先羽根のアームや羽根がバウンドするため、それがおさまって静止するまでは、露光作動を行わせることができない。そのため、既にセット部材が初期位置に復帰していても、なかなか露光作動を開始させることができず、上記したタイムラグが長くなってしまうという問題点がある。
【０００８】
本発明は、このような問題点を解決するためになされたものであり、その目的とするところは、先羽根と後羽根とを備えており、先羽根の駆動機構が、先羽根に連結されていてセットばねの付勢力によってセット作動を行い先羽根を露光作動開始位置へ作動させる第１駆動部材と、露光作動時には先羽根用駆動ばねの付勢力によって第１駆動部材を介して先羽根を作動させる第２駆動部材と、で構成されており、セット部材が初期位置からセット作動するときには、第２駆動部材のみが先羽根用駆動ばねの付勢力に抗してセットされ、第１駆動部材は、レリーズボタンが押されてセット部材が初期位置へ復帰するとき、その復帰作動の早い段階でセット位置へ作動させられ得るようにしたデジタルスチルカメラ用のフォーカルプレンシャッタを提供することである。
【０００９】
【課題を解決するための手段】
上記の目的を達成するために、本発明のデジタルスチルカメラ用フォーカルプレンシャッタは、シャッタ地板に回転可能に取り付けられており被抑止部を有すると共に先羽根と連結している先羽根用第１駆動部材と、シャッタ地板に回転可能に取り付けられており露光作動時には先羽根用駆動ばねの付勢力によって先羽根用第１駆動部材を伴って作動し先羽根に露光作動を行わせる先羽根用第２駆動部材と、少なくとも先羽根用第２駆動部材のセット作動時には先羽根を露光作動開始位置へ作動させるための付勢力を有しているセットばねと、シャッタ地板に回転可能に取り付けられており後羽根と連結していて露光作動時には後羽根用駆動ばねの付勢力によって作動し後羽根に露光作動を行わせる後羽根用駆動部材と、シャッタ地板に回転可能に取り付けられていて可撓性を有する係合部を備えておりセット作動時には初期位置から作動して先羽根用第２駆動部材と後羽根用駆動部材とを各々の前記駆動ばねの付勢力に抗して作動させカメラのレリーズ時には露光作動に先立って初期位置へ復帰作動するセット部材と、シャッタ地板に回転可能に取り付けられていて抑止部と第１被係合部と第２被係合部とを有しておりセット部材のセット作動時にはその初期段階においてだけ第１被係合部と前記係合部とが一時的に係合して該抑止部が前記被抑止部を抑止し得る位置に作動されセット部材の復帰作動時にはその初期段階においてだけ第２被係合部と前記係合部とが一時的に係合して前記抑止部が非抑止位置に復帰させられる抑止部材と、を備えているようにする。
【００１０】
その場合、前記セット部材と前記抑止部材とが、同一軸に回転可能に取り付けられているようにすると、コスト上からもコンパクト性の上からも、極めて好適な構成となる。
【００１１】
【発明の実施の形態】
本発明の実施の形態を、図１〜図７に示した実施例によって説明する。尚、各図は、本実施例のフォーカルプレンシャッタをカメラに組み込んだ状態において、被写体側から視たときの左側の約半分を示した平面図である。そして、図１は、露光作動終了直後の状態を示したものであり、図２及び図３は、セット部材が初期位置からセット位置へ作動する途中の状態を順に示したものであり、図４は、セット部材がセット位置で停止したセット完了状態を示したものである。また、図５及び図６は、カメラのレリーズボタンが押されたとき、露光作動に先立ってセット部材がセット位置から初期位置へ復帰する途中の状態を順に示したものであり、図７は、セット部材が初期位置で停止した露光作動開始直前の状態を示したものである。また、本実施例の説明に際しては、被写体側を表面側と称し、撮像素子側を背面側と称することにする。
【００１２】
先ず、本実施例の構成から説明する。図１において、シャッタ地板１の略中央部には、長方形を横長にした開口部１ａが形成されている。しかし、上記したように、図１はシャッタを被写体側から視て左側の約部分だけを示したものであるから、その開口部１ａについても、左側の一部だけが示されている。また、周知であるため図示していないが、シャッタ地板１の背面側には、所定の間隔を空けて、中間板と補助地板が順に取り付けられており、シャッタ地板１と中間板との間に先羽根の羽根室を形成し、中間板と補助地板との間に後羽根の羽根室を形成している。そして、中間板と補助地板にも、開口部１ａと類似の開口部が形成されているが、本実施例においては、開口部１ａの形状が被写体光路を規制している。但し、この開口部１ａが撮影画枠を決定するものであるとは限らない。
【００１３】
開口部１ａの左側には、円弧状の三つの長孔１ｂ，１ｃ，１ｄと、方形をした孔１ｅが形成されており、二つの長孔１ｂ，１ｃの下方端部には、平面形状が略Ｃ字状をした周知の緩衝部材２，３が取り付けられている。また、シャッタ地板１の表面側には、軸１ｆ，１ｇ，１ｈが立設され、背面側には、軸１ｉ，１ｊが立設されているが、それらのうち、軸１ｆ，１ｇは背面側にも突き出ていて、そこにも軸部を形成している。また、表面側に立設されている軸１ｆ，１ｇ，１ｈの先端には、図示していない支持板とプリント配線板が重ねて取り付けられており、それらのうちシャッタ地板１側に配置された支持板には先羽根用電磁石と後羽根用電磁石が取り付けられているが、それらの取付け構成は、特開２００１−２１９４２号公報などによって周知であるため、図示を省略してある。
【００１４】
シャッタ地板１の表面側において、軸１ｆには、シャッタ地板１側から、先羽根用第１駆動部材４と先羽根用第２駆動部材５とが、個々に回転可能に取り付けられており、先羽根用第２駆動部材５は、図示していない周知の先羽根用駆動ばねによって時計方向へ回転するように付勢されている。また、先羽根用第１駆動部材４は合成樹脂製であって、被抑止部４ａと、駆動ピン４ｂと、被押動部４ｃとを有している。そして、駆動ピン４ｂは、背面側に設けられており、その根元部は緩衝部材２に当接し得るようになっていて、先端部は長孔１ｂを貫通し、シャッタ地板１の背面側に突き出ている。また、駆動ピン４ｂと同じ平面位置に形成されている被押動部４ｃは、被写体側に隆起させた肉厚部として形成されていて、後述する先羽根用第２駆動部材５の押動部５ｂに接触し得るようになっている。
【００１５】
他方、先羽根用第２駆動部材５も合成樹脂製であり、被押動部５ａと、押動部５ｂと、取付部５ｃとを有している。そして、押動部５ｂは、その作動軌跡上に臨んでいる先羽根用第１駆動部材４の被押動部４ｃに接し得るようになっている。また、取付部５ｃは、被写体側に大きく隆起して形成されており、周知であるため図示を省略しているが、その内部には、上記の特開２００１−２１９４２号公報に記載されているような鉄片部材が、ばねを介在させて取り付けられ、先羽根用電磁石に通電されたとき、吸着され得るようになっている。更に、本実施例においては、先羽根用第１駆動部材４と先羽根用第２駆動部材５との間に、先羽根用駆動ばねよりも付勢力の弱いセットばねが掛けられていて、先羽根用第１駆動部材４を反時計方向へ回転させるように付勢し、先羽根用第２駆動部材５を時計方向へ回転させるように付勢しているが、そのセットばねを、先羽根用第１駆動部材４とシャッタ地板１との間に掛け、先羽根用第１駆動部材４を反時計方向へ回転させるように付勢するだけにしても差し支えない。
【００１６】
シャッタ地板１の表面側において、軸１ｇには、合成樹脂製の後羽根用駆動部材６が回転可能に取り付けられていて、図示していない後羽根用駆動ばねによって時計方向へ回転するように付勢されている。そして、この後羽根用駆動部材６は、被押動部６ａと、駆動ピン６ｂと、取付部６ｃとを有している。それらのうち、駆動ピン６ｂは背面側に設けられており、その根元部が緩衝部材３に当接し得るようになっていて、先端部が長孔１ｃを貫通している。また、取付部６ｃの内部には、上記した先羽根用第２駆動部材５の取付部５ｃの場合と同様に、図示していない鉄片部材がばねを介在させて取り付けられており、図示していない後羽根用電磁石に通電されたとき、吸着され得るようになっている。
【００１７】
シャッタ地板１の軸１ｈには、シャッタ地板１側から、抑止部材７とセット部材８とが、個々に回転可能に取り付けられている。そのうち、抑止部材７は、斜面として形成された二つの被係合部７ａ，７ｂと、抑止部７ｃと、背面側に設けられたピン７ｄとを有していて、ピン７ｄは上記したシャッタ地板１の方形の孔１ｅに挿入されている。
【００１８】
他方、セット部材８は合成樹脂製であって、押動部８ａ，８ｂと、被押動部８ｃと、フック部８ｄと、背面側に設けられたピン８ｅとを有していて、図示していない復帰ばねの付勢力によって、反時計方向へ回転するように付勢されているが、図１においては、シャッタ地板１の長孔１ｄに挿入されたピン８ｅが、長孔１ｄの一端に接触してその回転を阻止されている。以下、セット部材８については、この位置を初期位置と称する。また、フック部８ｄは可撓性を有していると共に先端に係合部８ｆを有しており、その係合部８ｆは、抑止部材７を時計方向へ回転させるときには被係合７ａに係合して回転させ、反時計方向へ回転させるときには被係合部７ｂに係合して回転させるようになっている。そして、ピン７ｄが孔１ｅの縁に当たって抑止部材７の回転が阻止された後は、フック部８ｄが撓むことによって係合部８ｆと被係合部７ａ，７ｂとの係合が外れ、セット部材８のみ回転を続けることが可能になっている。
【００１９】
次に、シャッタ地板１の背面側に配置されている先羽根と後羽根の構成を説明する。先ず、先羽根は、軸１ｆの背面側の軸部と軸１ｉとに対して回転可能に取り付けられている二つのアーム９，１０と、それらの先端部に向けて順に枢支された３枚の羽根１１，１２，１３とで構成されており、最先端に枢支された羽根１３がスリット形成羽根となっている。そして、周知のように、アーム９に形成された孔に、先羽根用第１駆動部材４の駆動ピン４ｂが嵌合している。他方、後羽根は、軸１ｇの背面側の軸部と軸１ｊとに対して回転可能に取り付けられた二つのアーム１４，１５と、それらの先端部に向けて順に枢支された３枚の羽根１６，１７，１８とで構成されていて、最先端に枢支されている羽根１８がスリット形成羽根となっている。そして、アーム１４に形成された孔には、後羽根用駆動部材６の駆動ピン６ｂが嵌合している。
【００２０】
次に、本実施例の作動を説明する。図１は、露光作動終了直後の停止状態を示している。このとき、先羽根用第２駆動部材５は、その押動部５ｂが被押動部４ｃを押すことによって先羽根用第１駆動部材４を伴い、図示していない先羽根用駆動ばねの付勢力によって時計方向へ回転し、駆動ピン４ｂが緩衝部材２に当接したことによって、この停止状態が維持されている。そして、先羽根の３枚の羽根１１〜１３は、重畳されて開口部１ａの下方位置に格納されている。他方、後羽根用駆動部材６は、図示していない後羽根用駆動ばねの付勢力によって時計方向へ回転し、駆動ピン６ｂが緩衝部材３に当接したことによって、この停止状態が維持されている。そして、後羽根の３枚の羽根１６〜１８は、展開されて開口部１ａを覆っている。また、このとき、抑止部材７は反時計方向へ回転されて、その抑止部７ｃを先羽根用第１駆動部材４の被抑止部４ａの作動軌跡から外されており、セット部材８は初期位置にある。
【００２１】
本実施例のセット作動は、図示していないカメラ本体側の部材がセット部材８の被押動部８ｃを押し、図示していない復帰ばねの付勢力に抗して時計方向へ回転させることによって行なわれる。そこで、先ず、セット部材８が回転すると、フック部８ｄの先端の係合部８ｆが既に抑止部材７の被係合部７ａに係合しているので、抑止部材７も引っ張られるようにして時計方向へ回転させられ、抑止部７ｃを先羽根用第１駆動部材４の被抑止部４ａの作動軌跡内へ臨ませてゆく。このようにして、セット部材８が抑止部材７を伴って僅かに時計方向へ回転し、その押動部８ａが先羽根用第２駆動部材５の被押動部５ａに接触した状態が、図２に示されている。
【００２２】
セット部材８が、図２の状態からなおも時計方向へ回転すると、先羽根用第２駆動部材５は、被押動部５ａがセット部材８の押動部８ａに押されることによって、図示していない先羽根用駆動ばねの付勢力に抗して反時計方向へ回転させられる。そして、このとき、先羽根用第１駆動部材４の被押動部４ｃから先羽根用第２駆動部材５の押動部５ｂが離れていこうとするので、先羽根用第１駆動部材４も、先羽根用第２駆動部材５との間に掛けられている図示していないセットばねの付勢力によって追従し、反時計方向へ回転する。しかしながら、このような先羽根用第１駆動部材４の回転は、その回転開始直後に、被抑止部４ａが抑止部材７の抑止部７ｃに当接することによって停止させられる。そのため、駆動ピン４ｂは僅かに移動しただけであるから、その段階では先羽根の３枚の羽根１１〜１３は、開口部１ａ内に入っていない。
【００２３】
このようにして、先羽根用第１駆動部材４の回転が阻止された後も、セット部材８は時計方向の回転を続け、先羽根用第２駆動部材５を反時計方向へ回転させていく。しかしながら、先羽根用第１駆動部材４が停止された後は、先羽根用第２駆動部材５との間に掛けられた図示していないセットばねを緊張させていくため、先羽根用第１駆動部材４の被抑止部４ａと抑止部材７の抑止部７ｃとの接触圧は大きくなっていく。その結果、抑止部材７は、その接触圧によって、セット部材８と共に回転するのを阻止され得るようになる。他方、抑止部材７は、セット部材８と共に回転することにより、そのピン７ｄがシャッタ地板１の孔１ｅの一方の縁に当接し、その回転を阻止され得るようにもなっている。従って、抑止部材７は、どちらか早く作用する阻止力によって、その回転を停止させられることになる。そして、このことは、本実施例の場合、そのピン７ｄをシャッタ地板１の孔１ｅの縁に当接させることが、必須ではないことを意味している。
【００２４】
しかし、このようにして抑止部材７の回転が阻止された後も、セット部材８の時計方向の回転は続けられるようになっている。それは、抑止部材７の回転が停止した直後から、係合部８ｆが、セット部材８のフック部８ｄを撓ませつつ、斜面状に形成されている被係止部７ａを摺動し、外れるようになっているからである。そして、その後、セット部材８は、その押動部８ｂが後羽根用駆動部材６の被押動部６ａを押して、図示していない後羽根用駆動ばねの付勢力に抗して、後羽根用駆動部材６を反時計方向へ回転させていく。そのため、この回転によって、駆動ピン６ｂがアーム１４を反時計方向へ回転させるので、後羽根の３枚の羽根１６〜１８は重なり量を大きくしつつ上方へ移動されていく。そして、後羽根のスリット形成羽根１８が開口部１ａを開放状態にしている途中の状態が図３に示されている。
【００２５】
先羽根用第２駆動部材５と後羽根用駆動部材６とは、このようにして、各々の駆動ばねの付勢力に抗して反時計方向へ回転させられていくが、セット部材８の回転は、後羽根の３枚の羽根１６〜１８が開口部１ａを全開にし、各々の駆動部材５，６の取付部５ｃ，６ｃに取り付けられた図示していない鉄片部材が、図示していない先羽根用電磁石と後羽根用電磁石の鉄芯に夫々確実に接触した段階で、停止させられる。その様態が図４に示されたセット完了状態である。そして、このときには、セット部材８のフック部８ｄは抑止部材７から完全に離れているので、常態に復帰している。従って、このセット状態においては、カメラの電源がオン状態になっていさえいれば、撮像素子に結像している被写体像を、液晶表示装置などに表示させて観察することが可能である。
【００２６】
次の撮影に際して、カメラのレリーズボタンが押されると、先ず、先羽根用電磁石と後羽根用電磁石に通電され、先羽根用第２駆動部材５と後羽根用駆動部材６に夫々取り付けられた図示していない夫々の鉄片部材が吸着保持される。次に、図示していないカメラ本体側の部材が、セット部材８の被押動部８ｃに対する押圧力を解くので、セット部材８は、図示していない復帰ばねの付勢力によって反時計方向へ回転されて初期位置へ復帰していく。そのため、先ず、セット部材８の押動部８ａ，８ｂが、各々の駆動部材５，６の被押動部５ａ，６ａから離れる。その過程で、周知のように、各駆動部材５，６は若干動くことになるが、鉄片部材が夫々の電磁石に吸着保持されているので実質的には動かされず、後羽根は露光作動開始位置で待機状態となる。そして、その直後には、セット部材８は、フック部８ｄの係合部８ｆを抑止部材７の被係合部７ｂに当接させる。図５は、そのときの状態を示したものである。
【００２７】
この当接によって、係合部８ｆが被係合部７ｂを押すので、抑止部材７は反時計方向へ回転させられる。そして、その僅かな回転で、抑止部７ｃが被抑止部４ａの抑止を解くと、その直後にピン７ｄがシャッタ地板１の孔１ｅの他方の縁に当接し、抑止部材７の回転が阻止される。他方、被抑止部４ａの抑止が解かれたことによって、先羽根用第１駆動部材４が、図示していないセットばねの付勢力によって反時計方向へ回転すると、駆動ピン４ｂがアーム９を反時計方向へ回転させることによって、先羽根の３枚の羽根１１〜１３を上方へ作動させる。そのようにして、抑止部材７の回転が阻止され、且つ先羽根の３枚の羽根１１〜１３によって開口部１ａを閉鎖し始めた状態が、図６に示されている。本実施例においては、このようにして、セット部材８が、その復帰作動の早い段階で、先羽根用第１駆動部材４の抑止を解き、開口部１ａを閉鎖させることを特徴としている。
【００２８】
上記のようにして抑止部材７の回転が阻止された後も、セット部材８の反時計方向の回転は続行される。それは、抑止部材７の回転の停止直後から、係合部８ｆが、セット部材８のフック部８ｄを撓ませつつ被係止部７ｂの斜面を摺動し、やがて外れるようになっているからである。そして、そのようにして行われるセット部材８の回転は、その最終段階において、撓まされているフック部８ｄの弾性を利用し、係合部８が抑止部材７の被係合部７ａに落ち込んだとき、セット部材８のピン８ｅがシャッタ地板１の長孔１ｄの縁に当接して停止させられる。そして、このようにしてセット部材８が初期位置に停止したときには、先羽根用第１駆動部材４の回転も、その被押動部４ｃが先羽根用第１駆動部材５の押動部５ｂに当接して既に停止されている。従って、そのときには、先羽根は露光作動開始位置で待機状態となっており、３枚の羽根１１〜１３は展開され、開口部１ａを完全に閉鎖している。そのような露光作動直前の状態が図７に示されている。
【００２９】
その後、最初に先羽根用電磁石に対する通電が断たれ、所定時間後には後羽根用電磁石に対する通電が断たれる。そのため、先ず、先羽根用電磁石の吸引力が失われることによって、先羽根用第２駆動部材５が、図示していない先羽根用駆動ばねの付勢力によって時計方向へ急速に回転させられると、その押動部５ｂが被押動部４ｃを押して先羽根用第１駆動部材４も時計方向へ回転させる。そのため、駆動ピン４ｂはアーム９を時計方向へ回転させて、先羽根の３枚の羽根１１〜１３を下方へ移動させ、スリット形成羽根１３の上端縁によって開口部１ａを開放していく。
【００３０】
他方、上記のように先羽根用電磁石に対する通電が断たれてから所定時間後に、後羽根用電磁石に対する通電が断たれる。そのため、図示していない鉄片部材に対する吸引力が失われて、後羽根用駆動部材６は、図示していない後羽根用駆動ばねの付勢力によって時計方向へ急速に回転させられる。それによって、駆動ピン６ｂがアーム１４を時計方向へ回転させるので、後羽根の３枚の羽根１６〜１８は、重なり量を小さくしつつ下方へ移動し、スリット形成羽根１８の下端縁によって開口部１ａを覆っていく。
【００３１】
このようにして、先羽根と後羽根が、それらのスリット形成羽根１３，１８によって形成されたスリットにより、撮像素子の撮像面を連続的に露光していくことになるが、その露光作動の最終段階になると、最初に、先羽根用第１駆動部材４の駆動ピン４ｂが緩衝部材２に当接することによって先羽根の作動が停止させられ、次に、後羽根用駆動部材６の駆動ピン６ｂが緩衝部材３に当接して、後羽根の作動も停止させられる。このようにして、露光作動を終了した直後の状態が図１に示されているが、この状態において、撮影した被写体像の情報が記憶装置に転送されると、図示していないカメラ本体側の部材によって、セット部材８が初期位置から時計方向へ回転させられ、上記したセット作動が開始される。
【００３２】
尚、本実施例においては、セット部材８に図示していない復帰ばねが掛けられていて、セット部材８のセット作動は、被押動部８ｃをカメラ本体側の部材に押されて行い、初期位置への復帰作動は、カメラ本体側の部材の押圧力が解かれるのに伴って、図示していない復帰ばねの付勢力によって行われているが、復帰ばねを備えることなく、セット作動も復帰作動も、カメラ本体側の部材によって強制的に行わされるようにしてもよい。また、実施例のように、セット部材８を、カメラ本体側の部材に直接連動させず、シャッタ側に設けられている他の部材を介して連動させるようにしてもよい。更に、実施例においては、フック部８ｄを有するセット部材８が、合成樹脂製の場合で説明したが、それらを別部材として製作しておいてから一体化するようにしても差し支えなく、その場合には、フック部８ｄだけを金属製にしてもよいし、両方を金属製にしても構わない。
【００３３】
また、実施例の説明中でも述べたように、上記の実施例においては、先羽根用第１駆動部材４と先羽根用第２駆動部材５との間に、図示していないセットばねを掛けているが、このセットばねは、カメラのレリーズ直後に、先羽根用第１駆動部材４を介して先羽根を露光作動開始位置へ作動させるためのものであるから、先羽根用第１駆動部材４とシャッタ地板１（又はシャッタ地板１に固定の部材）との間に掛けるようにしても差し支えないし、場合によっては、先羽根のアーム９，１０の一方とシャッタ地板１の間に掛けるようにしても差し支えない。しかし、それらのようにした場合には、先羽根が露光作動を行うとき、セットばねを緊張させながら作動することになるということはある。
【００３４】
また、上記の実施例においては、抑止部材７の回転範囲を規制するために、抑止部材７のピン７ｄをシャッタ地板１の孔１ｅに挿入させ、孔１ｅの両縁をストッパ手段としているが、シャッタ地板１に孔１ｅを形成する代わりに、抑止部７ｃを間にして回転方向の両側に、抑止部７ｃが直接当接し得るようにして、凸状（柱状）のストッパを設けるようにしても差し支えない。そして、実施例の説明からも分かるように、セット部材８のセット作動時に、抑止部材７が先羽根用第１駆動部材４の抑止状態を確実に維持できるのであれば、抑止部材７の時計方向への回転を規制するストッパ手段は必ずしも必要としない。また、上記の実施例においては、コストとコンパクト性を考えて、抑止部材７をセット部材８と共に同軸上に取り付けているが、別の軸に取り付けても差し支えない。
【００３５】
また、周知のように、フォーカルプレンシャッタには、露光作動開始直前の状態において、鉄片部材を有する各々の駆動部材を夫々の電磁石の吸引力によって直接保持しておき、露光作動時開始に際しては、その磁気的な保持力を解除するだけに構成されたダイレクトタイプと称されているものと、係止部材によって機械的に保持しておき、電磁石によって作動させられる部材がその係止部材の保持を解除するように構成した係止タイプとが知られている。上記の実施例は、それらのうちのダイレクトタイプのシャッタの場合で説明したが、本発明は、係止タイプのものにも適用することが可能である。
【００３６】
更に、上記の実施例の場合には、先羽根も後羽根も、夫々３枚の羽根を有しているが、本発明は、そのような枚数には限定されず、各々１枚ずつであっても構わないし、両者の枚数が異なっていても差し支えない。尚、本発明は、先羽根と後羽根との二つのシャッタ羽根を備えたフォーカルプレンシャッタに関するものであるが、デジタルスチルカメラ用フォーカルプレンシャッタの中には、シャッタ羽根を一つだけしか備えていないものも知られており、上記の実施例は、後羽根とその駆動機構を除くことによって、そのような態様のデジタルスチルカメラ用フォーカルプレンシャッタに応用することも可能である。
【００３７】
【発明の効果】
以上のように、先羽根と後羽根とを備えていて、先羽根の駆動機構が、先羽根に連結されている先羽根用第１駆動部材と、露光作動時には先羽根用駆動ばねの付勢力によって先羽根用第１駆動部材を介して先羽根を作動させる先羽根用第２駆動部材とで構成されており、セット部材のセット作動の初期段階において、先羽根用第１駆動部材が先羽根用第２駆動部材に追従して作動するのを抑止され、セット状態において撮像素子の前面を開放し、液晶表示装置などによって被写体像を観察することを可能にしたデジタルスチルカメラ用フォーカルプレンシャッタにおいて、本発明は、セット部材の作動に一時的に連動する抑止部材を設けることによって、カメラのレリーズボタンが押されたとき初期位置へ復帰するセット部材が、従来のように、その復帰作動の最終段階で行うのではなく、早い段階において先羽根を露光作動開始位置へ作動させるので、カメラのレリーズから露光作動が行われるまでのタイムラグを短くすることができるという特徴がある。
【図面の簡単な説明】
【図１】カメラに組み込んだ状態において、被写体側から視たときの左側の約半分を示した実施例の平面図であって、露光作動終了直後の状態を示したものである。
【図２】図１と同様にして示した実施例の平面図であって、セット作動の初期段階の状態を示したものである。
【図３】図１と同様にして示した実施例の平面図であって、図２の状態より更にセット作動の進んだ状態を示したものである。
【図４】図１と同様にして示した実施例の平面図であって、セット作動の完了状態を示したものである。
【図５】図１と同様にして示した実施例の平面図であって、カメラのレリーズボタンが押されたとき、露光作動に先立ってセット部材がセット位置から初期位置へ復帰する初期段階の状態を示したものである。
【図６】図１と同様にして示した実施例の平面図であって、セット部材の初期位置への復帰作動が図５の状態より僅かに進んだ状態を示したものである。
【図７】図１と同様にして示した実施例の平面図であって、セット部材が初期位置で停止した露光作動開始直前の状態を示したものである。
【符号の説明】
１                          シャッタ地板
１ａ                        開口部
１ｂ，１ｃ，１ｄ            長孔
１ｅ                        孔
１ｆ，１ｇ，１ｈ，１ｉ，１ｊ  軸
２，３                      緩衝部材
４                          先羽根用第１駆動部材
４ａ                        被抑止部
４ｂ，６ｂ                  駆動ピン
４ｃ，５ａ，６ａ，８ｃ      被押動部
５                          先羽根用第２駆動部材
５ｂ，８ａ，８ｂ            押動部
５ｃ，６ｃ                  取付部
６                          後羽根用駆動部材
７                          抑止部材
７ａ，７ｂ                  被係合部
７ｃ                        抑止部
７ｄ，８ｅ                  ピン
８                          セット部材
８ｄ                        フック部
８ｆ                        係合部
９，１０，１４，１５        アーム
１１，１２，１３，１６，１７，１８  羽根
【図１】
0003995488.tif 000002
【図２】
0003995488.tif 000003
【図３】
0003995488.tif 000004
【図４】
0003995488.tif 000005
【図５】
0003995488.tif 000006
【図６】
0003995488.tif 000007
【図７】
0003995488.tif 000008